(57)【要約】      （修正有）【課題】赤ちゃんの成長に適したベビー服の使用権を設定するコンピュータシステム利用のベビー服使用権設定処理方法およびベビー服中古販売処理システムを提供する。【解決手段】ベビー服使用権の契約を求めるユーザーの顧客端末１と、この顧客端末と通信回線を介して接続され、ベビー服使用権を所有するサービス提供者のホストコンピュータ５０とからなるベビー服使用権設定処理システム１００を利用するベビー服使用権設定処理方法である。ベビー服使用権設定処理方法によって使用権が設定後に回収ベビー服を求めるユーザーの顧客端末と、通信回線を介して接続され、回収ベビー服の販売業者のホストコンピュータとからなるベビー服中古販売処理システムで、ホストコンピュータは、回収ベビー服を、複数言語で表示したポータルサイト上で販売するためのＨＰを備えているベビー服中古販売処理システムである。【選択図】図１
2014021706.tif 000002
【特許請求の範囲】
【請求項１】
ベビー服使用権の契約を求めるユーザーの顧客端末と、該顧客端末と通信回線を介して接続され、前記ベビー服使用権を所有するサービス提供者のホストコンピュータとからなるベビー服使用権設定処理システムを利用するベビー服使用権設定処理方法であって、
前記顧客端末において、
当該顧客端末のＨＰ取得手段によって、前記通信回線を介して前記ホストコンピュータから標準月齢お世話ガイドを含む依頼内容基本情報入力画面を取得する依頼内容基本情報入力画面取得ステップと、
当該顧客端末の表示制御手段によって、前記取得された依頼内容基本情報入力画面を当該顧客端末の表示手段に表示する依頼内容基本情報入力画面表示ステップと、
当該顧客端末の依頼内容基本情報取込手段によって、前記表示された依頼内容基本情報入力画面の赤ちゃん基本情報入力画面に入力された赤ちゃん基本情報、前記表示された標準月齢お世話ガイドを利用して入力された赤ちゃん成長情報及び前記表示された依頼内容基本情報入力画面のサービス期間情報入力画面に入力されたサービス期間情報を、当該顧客端末内に取り込む依頼内容基本情報取込ステップと、
当該顧客端末の情報送信手段によって、前記取り込まれた依頼内容基本情報を、前記通信回線を介して前記ホストコンピュータに送信する依頼内容基本情報送信ステップと、
前記ホストコンピュータにおいて、
当該ホストコンピュータの情報受信手段によって、前記顧客端末から前記通信回線を介して送信された前記依頼内容基本情報を受信する依頼内容基本情報受信ステップと、
当該ホストコンピュータの情報保存制御手段によって、前記受信された依頼内容基本情報を当該ホストコンピュータの記憶手段に保存する依頼内容基本情報保存ステップと、
当該ホストコンピュータのサービス内容作成手段によって、前記保存された依頼内容基本情報に基づいて、前記ユーザーへのサービス内容を作成するサービス内容作成ステップと、
当該ホストコンピュータの情報送信手段によって、前記作成されたサービス内容を、前記通信回線を介して前記顧客端末に送信するサービス内容送信ステップと、
前記顧客端末において、
当該顧客端末の情報受信手段によって、前記ホストコンピュータから前記通信回線を介して送信された前記サービス内容を受信するサービス内容受信ステップと、
当該顧客端末の前記表示制御手段によって、前記受信されたサービス内容を当該顧客端末の前記表示手段に表示するサービス内容表示ステップと、
前記表示されたサービス内容についての前記ユーザーによる確認後に、当該顧客端末の前記表示制御手段によって、契約内容項目を含む契約用ユーザー情報入力画面を当該顧客端末の前記表示手段に表示する契約用ユーザー情報入力画面表示ステップと、
当該顧客端末の契約用ユーザー情報取込手段によって、前記表示された契約用ユーザー情報入力画面に入力された契約内容項目を含む契約用ユーザー情報を当該顧客端末内に取り込む契約用ユーザー情報取込ステップと、
当該顧客端末の前記情報送信手段によって、前記取り込まれた前記契約用ユーザー情報を、前記通信回線を介して前記ホストコンピュータに送信する契約用ユーザー情報送信ステップと、
前記ホストコンピュータにおいて、
当該ホストコンピュータの前記情報受信手段によって、前記顧客端末から前記通信回線を介して送信された前記契約用ユーザー情報を受信する契約用ユーザー情報受信ステップと、
当該ホストコンピュータの前記情報保存制御手段によって、前記受信された契約用ユーザー情報を当該ホストコンピュータの前記記憶手段に前記依頼内容基本情報と関連付けて保存する契約用ユーザー情報保存ステップと、
当該ホストコンピュータの契約内容確認用情報作成手段によって、前記保存された契約用ユーザー情報に基づいて、契約内容確認用情報を作成する契約内容確認用情報作成ステップと、
当該ホストコンピュータの前記情報送信手段によって、前記作成された契約内容確認用情報を、前記通信回線を介して前記顧客端末に送信する契約内容確認用情報送信ステップと、
前記顧客端末において、
当該顧客端末の前記情報受信手段によって、前記ホストコンピュータから前記通信回線を介して送信された前記契約内容確認用情報を受信する契約内容確認用情報受信ステップと、
当該顧客端末の前記表示制御手段によって、前記受信された契約内容確認用情報を当該顧客端末の前記表示手段に表示する契約内容確認用情報表示ステップと、
前記表示された契約内容確認用情報についての前記ユーザーによる確認後に、当該顧客端末の前記情報送信手段によって、前記ユーザーによる契約内容確認情報を、前記通信回線を介して前記ホストコンピュータに送信する契約内容確認用情報送信ステップと、
前記ホストコンピュータにおいて、
当該ホストコンピュータの前記情報受信手段によって、前記顧客端末から前記通信回線を介して送信された前記契約内容確認情報を受信する契約内容確認用情報受信ステップと、
当該ホストコンピュータの前記情報保存制御手段によって、前記受信された契約内容確認情報を当該ホストコンピュータの前記記憶手段に前記依頼内容基本情報及び前記契約用ユーザー情報と関連付けて保存する契約内容確認用情報保存ステップと、
を含むことを特徴とするベビー服使用権設定処理方法。
【請求項２】
前記顧客端末において、
当該顧客端末のベビー服使用権譲渡依頼手段によって、契約したベビー服使用権を他ユーザーに譲渡する旨の情報を含むベビー服使用権譲渡依頼情報を作成するベビー服使用権譲渡依頼情報作成ステップと、
当該顧客端末の前記情報送信手段によって、前記作成されたベビー服使用権譲渡依頼情報を、前記通信回線を介して前記ホストコンピュータに送信するベビー服使用権譲渡依頼情報ステップと、
前記ホストコンピュータにおいて、
当該ホストコンピュータの前記情報受信手段によって、前記顧客端末から前記通信回線を介して送信された前記ベビー服使用権譲渡依頼情報を受信するベビー服使用権譲渡依頼情報受信ステップと、
当該ホストコンピュータのベビー服使用権譲渡登録手段によって、前記受信されたベビー服使用権譲渡依頼情報に基づいて、前記ベビー服使用権を契約ユーザーから前記他ユーザーに移行するベビー服使用権譲渡ステップと、
を更に含むことを特徴とする請求項１に記載のベビー服使用権設定処理方法。
【請求項３】
前記標準月齢お世話ガイドは、前記赤ちゃんの成長情報に関する複数のチェック項目を含むチェックリスト方式に形成されていることを特徴とする請求項１または２に記載のベビー服使用権設定処理方法。
【請求項４】
前記サービス内容は、少なくとも、前記ベビー服の素材情報及び産地情報を含むことを特徴とする請求項１から３のいずれか１項に記載のベビー服使用権設定処理方法。
【請求項５】
前記ホストコンピュータにおいて、
当該ホストコンピュータのベビー服サイズ情報計算・登録手段によって、契約成立時からの赤ちゃんの成長に合わせたベビー服のサイズを予め計算して当該ホストコンピュータのサイズテーブルに保存するベビー服サイズ情報計算・登録ステップと、
当該ホストコンピュータの前記情報送信手段によって、前記保存されたベビー服のサイズ情報を、前記契約成立時から３ヵ月ごとに契約ユーザーの前記顧客端末に送信するベビー服サイズ情報送信ステップと、
を更に含むことを特徴とする請求項１から４のいずれか１項に記載のベビー服使用権設定処理方法。
【請求項６】
請求項１から５のいずれか１項に記載のベビー服使用権設定処理方法によって使用権が設定され、使用された後に回収された回収ベビー服を求めるユーザーの顧客端末と、該顧客端末と通信回線を介して接続され、前記回収ベビー服の販売業者のホストコンピュータとからなるベビー服中古販売処理システムであって、
前記ホストコンピュータは、前記回収ベビー服を、複数言語で表示したポータルサイト上で販売するためのＨＰを備えていることを特徴とするベビー服中古販売処理システム。
【発明の詳細な説明】
【技術分野】
【０００１】
本発明は、コンピュータシステムによるビジネス処理の方法に関し、特に、インターネット等の通信回線を使用してベビー服の使用権を設定することのできるベビー服使用権設定処理方法およびベビー服中古販売処理システムに関する。
【背景技術】
【０００２】
一般に、ベビー服を購入するには、赤ちゃんの性別や月齢ならびに季節等を考慮して購入する。ところが、赤ちゃんの成長は極めて早いために、買った服がすぐに着ることができなくなることがある。また、成長が早すぎて購入した服を一度も着ることが無いままになる場合もあった。また、このように短期間に着ることが出来なくなった服は、その保管場所に困る。さらに、赤ちゃんの世話方法においては、月齢ごとにその世話方法が変わるために、どんな仕様のベビー服を選択していいのか分からなかったり、迷ったりすることがある。
【０００３】
そして、特許文献１においては、子供服のレンタル方法が開示されている。
【先行技術文献】
【特許文献】
【０００４】
【特許文献１】特許第３９１０８１０号
【発明の概要】
【発明が解決しようとする課題】
【０００５】
しかしながら、特許文献１に記載された方法においては、子供服の全般的なレンタル方法について開示されているが、赤ちゃん専用のベビー服に特化したレンタル方法について不十分であり、より便利な方法が望まれている。
また、使用済みのベビー服を有効活用できる新たなシステムが望まれている。
【０００６】
本発明は、上記課題に鑑みてなされたものであり、その目的は、赤ちゃんの成長に適したベビー服を顧客が容易に選択できるとともに容易にベビー服を使用できるようにコンピュータシステムを利用したベビー服使用権設定処理方法およびベビー服中古販売処理システムを提供することにある。
【課題を解決するための手段】
【０００７】
上記目的を達成するために、請求項１に係る発明は、ベビー服使用権の契約を求めるユーザーの顧客端末と、該顧客端末と通信回線を介して接続され、前記ベビー服使用権を所有するサービス提供者のホストコンピュータとからなるベビー服使用権設定処理システムを利用するベビー服使用権設定処理方法であって、
前記顧客端末において、
当該顧客端末のＨＰ取得手段によって、前記通信回線を介して前記ホストコンピュータから標準月齢お世話ガイドを含む依頼内容基本情報入力画面を取得する依頼内容基本情報入力画面取得ステップと、
当該顧客端末の表示制御手段によって、前記取得された依頼内容基本情報入力画面を当該顧客端末の表示手段に表示する依頼内容基本情報入力画面表示ステップと、
当該顧客端末の依頼内容基本情報取込手段によって、前記表示された依頼内容基本情報入力画面の赤ちゃん基本情報入力画面に入力された赤ちゃん基本情報、前記表示された標準月齢お世話ガイドを利用して入力された赤ちゃん成長情報及び前記表示された依頼内容基本情報入力画面のサービス期間情報入力画面に入力されたサービス期間情報を、当該顧客端末内に取り込む依頼内容基本情報取込ステップと、
当該顧客端末の情報送信手段によって、前記取り込まれた依頼内容基本情報を、前記通信回線を介して前記ホストコンピュータに送信する依頼内容基本情報送信ステップと、
前記ホストコンピュータにおいて、
当該ホストコンピュータの情報受信手段によって、前記顧客端末から前記通信回線を介して送信された前記依頼内容基本情報を受信する依頼内容基本情報受信ステップと、
当該ホストコンピュータの情報保存制御手段によって、前記受信された依頼内容基本情報を当該ホストコンピュータの記憶手段に保存する依頼内容基本情報保存ステップと、
当該ホストコンピュータのサービス内容作成手段によって、前記保存された依頼内容基本情報に基づいて、前記ユーザーへのサービス内容を作成するサービス内容作成ステップと、
当該ホストコンピュータの情報送信手段によって、前記作成されたサービス内容を、前記通信回線を介して前記顧客端末に送信するサービス内容送信ステップと、
前記顧客端末において、
当該顧客端末の情報受信手段によって、前記ホストコンピュータから前記通信回線を介して送信された前記サービス内容を受信するサービス内容受信ステップと、
当該顧客端末の前記表示制御手段によって、前記受信されたサービス内容を当該顧客端末の前記表示手段に表示するサービス内容表示ステップと、
前記表示されたサービス内容についての前記ユーザーによる確認後に、当該顧客端末の前記表示制御手段によって、契約内容項目を含む契約用ユーザー情報入力画面を当該顧客端末の前記表示手段に表示する契約用ユーザー情報入力画面表示ステップと、
当該顧客端末の契約用ユーザー情報取込手段によって、前記表示された契約用ユーザー情報入力画面に入力された契約内容項目を含む契約用ユーザー情報を当該顧客端末内に取り込む契約用ユーザー情報取込ステップと、
当該顧客端末の前記情報送信手段によって、前記取り込まれた前記契約用ユーザー情報を、前記通信回線を介して前記ホストコンピュータに送信する契約用ユーザー情報送信ステップと、
前記ホストコンピュータにおいて、
当該ホストコンピュータの前記情報受信手段によって、前記顧客端末から前記通信回線を介して送信された前記契約用ユーザー情報を受信する契約用ユーザー情報受信ステップと、
当該ホストコンピュータの前記情報保存制御手段によって、前記受信された契約用ユーザー情報を当該ホストコンピュータの前記記憶手段に前記依頼内容基本情報と関連付けて保存する契約用ユーザー情報保存ステップと、
当該ホストコンピュータの契約内容確認用情報作成手段によって、前記保存された契約用ユーザー情報に基づいて、契約内容確認用情報を作成する契約内容確認用情報作成ステップと、
当該ホストコンピュータの前記情報送信手段によって、前記作成された契約内容確認用情報を、前記通信回線を介して前記顧客端末に送信する契約内容確認用情報送信ステップと、
前記顧客端末において、
当該顧客端末の前記情報受信手段によって、前記ホストコンピュータから前記通信回線を介して送信された前記契約内容確認用情報を受信する契約内容確認用情報受信ステップと、
当該顧客端末の前記表示制御手段によって、前記受信された契約内容確認用情報を当該顧客端末の前記表示手段に表示する契約内容確認用情報表示ステップと、
前記表示された契約内容確認用情報についての前記ユーザーによる確認後に、当該顧客端末の前記情報送信手段によって、前記ユーザーによる契約内容確認情報を、前記通信回線を介して前記ホストコンピュータに送信する契約内容確認用情報送信ステップと、
前記ホストコンピュータにおいて、
当該ホストコンピュータの前記情報受信手段によって、前記顧客端末から前記通信回線を介して送信された前記契約内容確認情報を受信する契約内容確認用情報受信ステップと、
当該ホストコンピュータの前記情報保存制御手段によって、前記受信された契約内容確認情報を当該ホストコンピュータの前記記憶手段に前記依頼内容基本情報及び前記契約用ユーザー情報と関連付けて保存する契約内容確認用情報保存ステップと、
を含むことを特徴とするベビー服使用権設定処理方法である。
【０００８】
請求項２に係る発明は、請求項１に記載の構成に加えて、前記顧客端末において、
当該顧客端末のベビー服使用権譲渡依頼手段によって、契約したベビー服使用権を他ユーザーに譲渡する旨の情報を含むベビー服使用権譲渡依頼情報を作成するベビー服使用権譲渡依頼情報作成ステップと、
当該顧客端末の前記情報送信手段によって、前記作成されたベビー服使用権譲渡依頼情報を、前記通信回線を介して前記ホストコンピュータに送信するベビー服使用権譲渡依頼情報ステップと、
前記ホストコンピュータにおいて、
当該ホストコンピュータの前記情報受信手段によって、前記顧客端末から前記通信回線を介して送信された前記ベビー服使用権譲渡依頼情報を受信するベビー服使用権譲渡依頼情報受信ステップと、
当該ホストコンピュータのベビー服使用権譲渡登録手段によって、前記受信されたベビー服使用権譲渡依頼情報に基づいて、前記ベビー服使用権を契約ユーザーから前記他ユーザーに移行するベビー服使用権譲渡ステップと、
を更に含むことを特徴とする。
【０００９】
請求項３に係る発明は、請求項１または２に記載の構成に加えて、前記標準月齢お世話ガイドは、前記赤ちゃんの成長情報に関する複数のチェック項目を含むチェックリスト方式に形成されていることを特徴とする。
【００１０】
請求項４に係る発明は、請求項１から３のいずれか１項に記載の構成に加えて、前記サービス内容は、少なくとも、前記ベビー服の素材情報及び産地情報を含むことを特徴とする。
【００１１】
請求項５に係る発明は、請求項１から４のいずれか１項に記載の構成に加えて、前記ホストコンピュータにおいて、
当該ホストコンピュータのベビー服サイズ情報計算・登録手段によって、契約成立時からの赤ちゃんの成長に合わせたベビー服のサイズを予め計算して当該ホストコンピュータのサイズテーブルに保存するベビー服サイズ情報計算・登録ステップと、
当該ホストコンピュータの前記情報送信手段によって、前記保存されたベビー服のサイズ情報を、前記契約成立時から３ヵ月ごとに契約ユーザーの前記顧客端末に送信するベビー服サイズ情報送信ステップと、
を更に含むことを特徴とする。
【００１２】
請求項６に係る発明は、請求項１から５のいずれか１項に記載のベビー服使用権設定処理方法によって使用権が設定され、使用された後に回収された回収ベビー服を求めるユーザーの顧客端末と、該顧客端末と通信回線を介して接続され、前記回収ベビー服の販売業者のホストコンピュータとからなるベビー服中古販売処理システムであって、
前記ホストコンピュータは、前記回収ベビー服を、複数言語で表示したポータルサイト上で販売するためのＨＰを備えていることを特徴とする。
【発明の効果】
【００１３】
請求項１の発明によれば、ベビー服使用権設定の各処理ステップを実行することにより、顧客が入力した情報に基づいて、特定の赤ちゃんに合わせた適切なベビー服がサービス提供者によって自動的に提供される。
【００１４】
請求項２の発明によれば、ベビー服使用権が譲渡可能であることで、単に使用者が顧客対象であるだけでなく、ベビー服を使用しない第三者から子供が生まれた人へのプレゼント等に使用可能となり、市場拡大可能である。
【００１５】
請求項３の発明によれば、ベビー服使用権設定の各処理ステップを実行することにより、ユーザーが赤ちゃん成長情報を入力するときに参照してチェックするだけでよく便利である。
【００１６】
請求項４の発明によれば、ベビー服使用権設定の各処理ステップを実行することにより、安心・安全性の高いサービスも含めてユーザーの選択肢が増えたサービスを提供できる。
【００１７】
請求項５の発明によれば、ベビー服使用権設定の各処理ステップを実行することにより、赤ちゃんの成長に合わせて、ぴったりサイズのベビー服を定期的にかつ自動的に提供することができる。
【００１８】
請求項６の発明によれば、ベビー服中古販売ホームページ（ＨＰ）を備えるベビー服中古販売処理システムによれば、日本ブランドを利用した新たな中古販売を、世界的に展開することができる。
【図面の簡単な説明】
【００１９】
【図１】本発明のベビー服使用権設定処理方法を実施するためのコンピュータネットワークシステム全体の概略構成図である。
【図２】顧客端末の概略構成を示す概略構成図である。
【図３】顧客端末の内部回路を示す概略ブロック図である。
【図４】ホストコンピュータの内部回路を示す概略ブロック図である。
【図５】ホストコンピュータにおいて実行されるベビー服使用権設定処理を、顧客端末において実行するための実行手段の概略構成図である。
【図６】ホストコンピュータにおいて実行されるベビー服使用権設定処理を実行するための実行手段の概略構成図である。
【図７】本発明のベビー服使用権設定処理方法の概略操作について示す概略フローチャートである。
【図８】ネットワークシステムを介してホストコンピュータにおいて実行されるベビー服使用権設定処理の内容を示すフローチャートであって、主に顧客端末側の処理ステップを詳細に示したフローチャートである。
【図９】ネットワークシステムを介してホストコンピュータにおいて実行されるベビー服使用権設定処理の内容を示すフローチャートであって、主にホストコンピュータ側の処理ステップを詳細に示したフローチャートである。
【図１０】ホストコンピュータから顧客端末に送信されて当該端末のディスプレイに表示される依頼内容基本情報の一例を示す画面例である。
【図１１】ホストコンピュータから顧客端末に送信されて当該端末のディスプレイに表示される赤ちゃん基本情報の一例を示す画面例である。
【図１２】ホストコンピュータから記憶される標準月齢おせわガイドのチェックリストのテーブルの一例である。
【図１３】ホストコンピュータから顧客端末に送信されて顧客端末のディスプレイに表示されるサービス内容の一部で、商品安心情報の画面例である。
【図１４】ホストコンピュータから顧客端末に送信されて顧客端末のディスプレイに表示される入会手続情報の一例を示す画面例である。
【図１５】ホストコンピュータによって管理されるベビー服商品の配送および回収の実行を示すフローチャートである。
【図１６】本発明のベビー服中古販売処理システムを実施するためのコンピュータネットワークシステム全体の概略構成図である。
【発明を実施するための形態】
【００２０】
以下、本発明のベビー服使用権設定処理方法の実施形態について、図面を参照しながら詳細に説明する。
なお、本実施形態は、ベビー服使用権設定処理方法を、コンピュータネットワークシステムを利用して実施した例である。
【００２１】
先ず、図１は、本実施形態におけるコンピュータネットワークシステム全体を示した概略構成図である。
図１に示すように、本実施形態のコンピュータネットワークシステム１００は、顧客が操作する複数の顧客端末１と、サービス提供者側設備にて設置されたホストコンピュータ５０とを通信回線８０を介して相互に接続された構成である。
【００２２】
顧客端末１は、特にその構成を制限するものではないが、例えば、図２に示すようなデスクトップ型のコンピュータ、さらには、ノート型のコンピュータや、インターネットアクセス機能を有する携帯情報端末である。
図２に示す顧客端末１としての外観的構成は、例えば、本体１ａ、表示手段であるディスプレイ１ｂ、入力装置であるキーボード・マウス１ｋ、更にはプリンタ等を有し、各構成部材が本体１ａに適宜繋がれている。
【００２３】
本体１ａには、例えば、図３に示すように、中央演算処理装置（ＣＰＵ）１ｍ，ランダムアクセスメモリ（ＲＡＭ）１ｐ，ディスプレイコントローラ１ｑ，キーボード・マウスコントローラ１ｓ，通信コントローラ１ｒ、ハードディスクドライブ（ＨＤＤ）１ｔ等のハードウエアを、主要な構成としている。また、各種情報を表示するためのディスプレイ１ｂとキーボード・マウス１ｋ等の入力装置とが、本体１ａに繋がれている。なお、当然のことながら、コンピュータが作動機能するための各種ソフトウエアがインストールされている。また、通信コントローラ１ｒによって、電話回線やＬＡＮ等の通信回線８０を介して、接続されたコンピュータとの間のデータの送受信をおこなうことができる。さらに、ハードディスクドライブ（ＨＤＤ）１ｔには、周知のごとき種々の機能を実現するために中央演算処理装置（ＣＰＵ）１ｍが実行するアプリケーションプログラムや、中央演算処理装置１ｍが実行する処理において利用されるデータや、アプリケーションプログラムの実行管理やネットワーク管理などのシステム管理を中央演算処理装置１ｍに行わせるためのＯＳプログラムが、格納されている。また、このＨＤＤ１ｔに格納されるアプリケーションプログラムには、情報閲覧ソフトウエアであるワールド・ワイド・ウエブ・ブラウザが格納されている。
【００２４】
サービス提供者側に設けられたホストコンピュータ５０は、通信回線８０上の端末からアクセスがあると所定のウェブページのデータをその端末に返送するウェブサーバとして機能する。このホストコンピュータ５０については、その構成については、図４に示すが、前掲の顧客端末１とほぼ同様に構成されており、同じ構成部分には同符号を付して説明を省略する。なお、ＨＤＤ５０ｔには、顧客端末１と同様に、種々の機能を実現するために中央演算処理装置（ＣＰＵ）１ｍが実行するアプリケーションプログラムや、中央演算処理装置１ｍが実行する処理において利用されるデータや、各種プログラム５０ｖの実行管理やネットワーク管理などのシステム管理を中央演算処理装置１ｍに行わせるためのＯＳプログラムが、格納されている。また、このＨＤＤ５０ｔに格納される各種プログラム５０ｖには、情報閲覧ソフトウエアであるワールド・ワイド・ウエブ・ブラウザも格納されているが、その他にも、後述する各処理ステップを実行するための各種テーブル５０ｗが格納されており、その性能において、顧客端末１よりも格段に優れた大型のコンピュータである。
【００２５】
そして、本実施形態のベビー服使用権設定処理方法を実施するためには、本体１ａには、図５に示すように、ＨＰ取得手段１ａａ、表示制御手段１ａｂ、依頼内容基本情報取込手段１ａｃ、情報送信手段１ａｄ、情報受信手段１ａｅ、契約ユーザー情報取込手段１ａｆ、ベビー服使用権譲渡依頼手段１ａｇが格納されている。
【００２６】
本実施形態のベビー服使用権設定処理方法を実施するためには、ホストコンピュータ５０には、図６に示すように、情報受信手段５０ａ、情報保存制御手段５０ｂ、記憶手段５０ｃ、サービス内容作成手段５０ｄ、情報送信手段５０ｅ、契約内容確認用情報作成手段５０ｆ、ベビー服サイズ情報計算・登録手段５０ｇ、ベビー服使用権譲渡依頼手段５０ｈが格納されている。
【００２７】
本実施形態においては、ベビー服使用権設定処理の概略を、図７を参照して説明する。
先ず、顧客（以下、「ユーザー」とも云う）は、図２に示すような顧客端末１を使って、ベビー服使用権設定処理が可能なホームページ（ＨＰ）を閲覧する（Ｓ１）。次に、赤ちゃんの月齢などの基本的な情報である赤ちゃん基本情報を入力する（Ｓ２）。また、初めての赤ちゃんでもそのおせわ（お世話）ができるようなガイド説明を有する「標準月齢おせわガイド」の確認等を行う（Ｓ３）。そして、赤ちゃんの現在月齢情報等を表示（Ｓ４）。また、ベビー服使用権の利用期間（サービス期間）について入力する（Ｓ５）。
【００２８】
顧客端末１を介して入力された情報がホストコンピュータ５０に送信された後に、顧客からの情報に基づいて、サービス提供者側から当該顧客に最適なベビー服を顧客端末１に提案表示する（Ｓ６）。この提案内容を見た顧客が、サービスを申し込むことを決定することで、会員登録（Ｓ７）並びにサービス申込（Ｓ８）を行う。次に、サービス内容確認画面表示（Ｓ９）によって、ベビー服使用権のサービス内容を再度確認し、確認操作によってベビー服使用権設定処理の契約が完了する（Ｓ１０）こととなる。
なお、本発明で云うベビー服とは、赤ちゃんが着る衣服のことであるが、その他に、靴下、手袋、帽子、よだれ掛けなど、赤ちゃんのお世話に必要な衣類系全般を云う。
【００２９】
以下、図８〜図１５を参照して、本実施形態のベビー服使用権設定処理方法を更に詳細に説明する。
前述したように、ベビー服使用権の契約を求めるユーザーの顧客端末１は、通信回線８０を介してベビー服使用権を販売するサービス提供者のホストコンピュータ５０に接続されている。
【００３０】
そして、各処理ステップを踏んでベビー服使用権設定処理が実行される。なお、処理ステップのフローは、図８に主に顧客端末側の処理ステップ（Ｓ１０１〜Ｓ１１２）を中心に示し、図９に主にホストコンピュータ側の処理ステップ（Ｓ２０１〜Ｓ２１０）を中心に示す。
先ず、顧客端末１における処理ステップについて説明する。
本実施形態で云う依頼内容基本情報入力画面取得ステップＳ１０１とは、顧客端末１のＨＰ取得手段１ａａによって、通信回線８０を介してホストコンピュータ５０から後述する標準月齢お世話ガイドＯＳＧを含む依頼内容基本情報入力画面Ｇ１（図１０参照）から入り込み取得する依頼内容基本情報入力画面取得ステップＳ１０１である。
【００３１】
本実施形態で云う依頼内容基本情報入力画面表示ステップＳ１０２とは、顧客端末１の表示制御手段１ａｂによって、取得された依頼内容基本情報入力画面Ｇ１を顧客端末１の表示手段１ｂに表示する依頼内容基本情報入力画面表示ステップＳ１０２である。
【００３２】
本実施形態で云う依頼内容基本情報取込ステップＳ１０３とは、顧客端末１の依頼内容基本情報取込手段１ａｃによって、表示された依頼内容基本情報入力画面Ｇ１の赤ちゃん基本情報入力画面Ｇ１ａに入力された赤ちゃん基本情報、表示された標準月齢お世話ガイドＯＳＧを利用して入力された赤ちゃん成長情報及び表示された依頼内容基本情報入力画面Ｇ１のサービス期間情報入力画面Ｇ１ｂ（図１０参照）に入力されたサービス期間情報を、顧客端末１内に取り込む依頼内容基本情報取込ステップＳ１０３である。
【００３３】
本実施形態で云う依頼内容基本情報送信ステップＳ１０４とは、顧客端末１の情報送信手段１ａｄによって、取り込まれた依頼内容基本情報を、通信回線８０を介してホストコンピュータ５０に送信する依頼内容基本情報送信ステップＳ１０４である。
【００３４】
このように、依頼内容基本情報送信ステップＳ１０４が実行されると、ホストコンピュータ５０において、依頼内容基本情報受信ステップＳ２０１が実行される。
本実施形態で云う依頼内容基本情報受信ステップＳ２０１とは、ホストコンピュータ５０の情報受信手段５０ａによって、顧客端末１から通信回線８０を介して送信された依頼内容基本情報を受信する依頼内容基本情報受信ステップＳ２０１である。
【００３５】
本実施形態で云う依頼内容基本情報保存ステップＳ２０２とは、ホストコンピュータ５０の情報保存制御手段に５０ｂよって、受信された依頼内容基本情報をホストコンピュータ５０の記憶手段５０ｃに保存する依頼内容基本情報保存ステップＳ２０２である。
【００３６】
本実施形態で云うサービス内容作成ステップＳ２０３とは、ホストコンピュータ５０のサービス内容作成手段５０ｄによって、保存された依頼内容基本情報に基づいて、ユーザーへのサービス内容を作成するサービス内容作成ステップＳ２０３である。
【００３７】
本実施形態で云うサービス内容送信ステップＳ２０４とは、ホストコンピュータ５０の情報送信手段５０ｅによって、作成されたサービス内容を、通信回線８０を介して顧客端末１に送信するサービス内容送信ステップＳ２０４である。
【００３８】
本実施形態で云うサービス内容受信ステップＳ１０５とは、顧客端末１において、  顧客端末１の情報受信手段１ａｅによって、ホストコンピュータ５０から通信回線８０を介して送信されたサービス内容を受信するサービス内容受信ステップＳ１０５である。
【００３９】
本実施形態で云うサービス内容表示ステップＳ１０６とは、顧客端末１の表示制御手段１ａｂによって、受信されたサービス内容を顧客端末１の表示手段１ｂに表示するサービス内容表示ステップＳ１０６である。
【００４０】
本実施形態で云う契約用ユーザー情報入力画面表示ステップＳ１０７とは、表示されたサービス内容についてのユーザーによる確認後に、顧客端末１の表示制御手段１ａｂによって、契約内容項目を含む契約用ユーザー情報入力画面を顧客端末１の表示手段１ｂに表示する契約用ユーザー情報入力画面表示ステップＳ１０７である。
【００４１】
本実施形態で云う契約用ユーザー情報取込ステップＳ１０８とは、顧客端末１の契約用ユーザー情報取込手段１ａｆによって、表示された契約用ユーザー情報入力画面として機能する、例えば入会手続画面Ｇ１ｉ（図１４参照）を介して入力された契約内容項目を含む契約用ユーザー情報を顧客端末１内に取り込む契約用ユーザー情報取込ステップＳ１０８である。
【００４２】
本実施形態で云う契約用ユーザー情報送信ステップＳ１０９とは、顧客端末１の情報送信手段１ａｄによって、取り込まれた契約用ユーザー情報を、通信回線８０を介してホストコンピュータ５０に送信する契約用ユーザー情報送信ステップＳ１０９である。
【００４３】
本実施形態で云う契約用ユーザー情報受信ステップＳ２０５とは、ホストコンピュータ５０において、ホストコンピュータ５０の情報受信手段５０ａによって、顧客端末１から通信回線８０を介して送信された契約用ユーザー情報を受信する契約用ユーザー情報受信ステップＳ２０５である。
【００４４】
本実施形態で云う契約用ユーザー情報保存ステップＳ２０６とは、ホストコンピュータ５０の情報保存制御手段５０ｂによって、受信された契約用ユーザー情報をホストコンピュータ５０の記憶手段５０ｃに依頼内容基本情報と関連付けて保存する契約用ユーザー情報保存ステップＳ２０６である。
【００４５】
本実施形態で云う契約内容確認用情報作成ステップＳ２０７とは、ホストコンピュータ５０の契約内容確認用情報作成手段５０ｆによって、保存された契約用ユーザー情報に基づいて、契約内容確認用情報を作成する契約内容確認用情報作成ステップＳ２０７である。
【００４６】
本実施形態で云う契約内容確認用情報送信ステップＳ２０８とは、ホストコンピュータ５０の情報送信手段５０ｅによって、作成された契約内容確認用情報を、通信回線８０を介して顧客端末１に送信する契約内容確認用情報送信ステップＳ２０８である。
【００４７】
本実施形態で云う契約内容確認用情報受信ステップＳ１１０とは、顧客端末１において、顧客端末１の情報受信手段１ａｅによって、ホストコンピュータ５０から通信回線８０を介して送信された契約内容確認用情報を受信する契約内容確認用情報受信ステップＳ１１０である。
【００４８】
本実施形態で云う契約内容確認用情報表示ステップＳ１１１とは、顧客端末１の表示制御手段１ａｂによって、受信された契約内容確認用情報を顧客端末１の表示手段１ｂに表示する契約内容確認用情報表示ステップＳ１１１である。
【００４９】
本実施形態で云う契約内容確認用情報送信ステップＳ１１２とは、表示された契約内容確認用情報についてのユーザーによる確認後に、顧客端末１の情報送信手段１ａｄによって、ユーザーによる契約内容確認情報を、通信回線８０を介してホストコンピュータ５０に送信する契約内容確認用情報送信ステップＳ１１２である。
【００５０】
本実施形態で云う契約内容確認用情報受信ステップＳ２０９とは、ホストコンピュータ５０において、ホストコンピュータ５０の情報受信手段５０ａによって、顧客端末１から通信回線８０を介して送信された契約内容確認情報を受信する契約内容確認用情報受信ステップＳ２０９である。
【００５１】
本実施形態で云う契約内容確認用情報保存ステップＳ２１０とは、ホストコンピュータ５０の情報保存制御手段５０ｂによって、受信された契約内容確認情報をホストコンピュータ５０の記憶手段５０ｃに依頼内容基本情報及び契約用ユーザー情報と関連付けて保存する契約内容確認用情報保存ステップＳ２１０である。
このように、本実施形態の方法によれば、各処理ステップを実行することにより、顧客が入力した情報に基づいて、特定の赤ちゃんに合わせた適切なベビー服がサービス提供者によって自動的に提供される。
【００５２】
また、本実施形態におけるベビー服使用権設定処理方法では、ベビー服使用の権譲渡を行うことができる。
このベビー服使用の権譲渡の処理ステップは、顧客端末１において、顧客端末１のベビー服使用権譲渡依頼手段１ａｇによって、契約したベビー服使用権を他ユーザーに譲渡する旨の情報を含むベビー服使用権譲渡依頼情報を作成するベビー服使用権譲渡依頼情報作成ステップＳ１１３と、顧客端末１の情報送信手段１ａｃによって、作成されたベビー服使用権譲渡依頼情報を、通信回線８０を介してホストコンピュータ５０に送信するベビー服使用権譲渡依頼情報ステップＳ１１４と、を有している。
【００５３】
一方、ホストコンピュータ５０においては、ホストコンピュータ５０の情報受信手段５０ａによって、顧客端末１から通信回線８０を介して送信されたベビー服使用権譲渡依頼情報を受信するベビー服使用権譲渡依頼情報受信ステップＳ２１１と、ホストコンピュータ５０のベビー服使用権譲渡登録手段５０ｈによって、受信されたベビー服使用権譲渡依頼情報に基づいて、ベビー服使用権を契約ユーザーから他ユーザーに移行するベビー服使用権譲渡ステップＳ２１２と、を有している。
このように、ベビー服使用権が譲渡可能であることで、例えば、第三者から子供が生まれた人へのプレゼント等に使用可能となり、市場拡大可能である。
【００５４】
また、本実施形態におけるベビー服使用権設定処理方法では、標準月齢お世話ガイドＯＳＧは、例えば、図１２に示すように、赤ちゃんの成長情報に関する複数のチェック項目として、例えば、感覚器、運動、言語、社会性、認知力などを、月齢に合わせてチェックできるようになっているチェックリスト方式に形成されている。
なお、チェックの評価は、特に限定するものではないが、例えば、３段階の、○、△、×などの方式にて記録・登録することができる。
このようなチェックリストによれば、ユーザーが赤ちゃん成長情報を入力するときに参照してチェックするだけ、ベビー服の選定に必要な情報を容易に記録することができ、便利である。
【００５５】
本実施形態におけるベビー服使用権設定処理方法では、サービス内容は、少なくとも、図１３に示すように、顧客端末１のサービス内容表示画面Ｇ１ｃにおいて、商品安心情報として、例えば、産地情報、紡績情報、生地制作情報、染め情報、縫製情報等を含む情報が表示される。
したがって、ベビー服使用権設定にあたって、安心・安全性の高いサービスも含めて顧客の選択肢が増えた良質のサービスを提供できる。
【００５６】
本実施形態におけるベビー服使用権設定処理方法では、ホストコンピュータ５０において、以下の処理ステップにより実施される。
すなわち、ホストコンピュータ５０のベビー服サイズ情報計算・登録手段５０ｇによって、契約成立時からの赤ちゃんの成長に合わせたベビー服のサイズを予め計算してホストコンピュータ５０のサイズテーブルに保存するベビー服サイズ情報計算・登録ステップＳ２１３と、ホストコンピュータ５０の情報送信手段５０ｅによって、保存されたベビー服のサイズ情報を、契約成立時から３ヵ月ごとに契約ユーザーの顧客端末１に送信するベビー服サイズ情報送信ステップＳ２１４と、を含んでいる。
これにより、赤ちゃんの成長に合わせて、ぴったりサイズのベビー服を定期的にかつ自動的に提供することができる。
【００５７】
そして、本実施形態を実施するための、各種プログラムは、前掲のごとくＨＤＤ５０ｔに格納されているが、このプログラムの一つである、お届け回収プログラムによって、図１５に示す、お届け回収サービスを実施することができる。
本実施形態においては、以下説明するような三ヶ月ごとの４回のサービス提供となる。
先ず、ベビー服使用権の試用期間の最初の日に、第１回目の「ぴったりサイズお届け」ステップＳ３０１を実行して、顧客に所望のベビー服を届ける。
【００５８】
３ヶ月経過後、第２回目の「ぴったりサイズお届け」ステップＳ３０２を実行して、顧客に２回目のベビー服を届ける。この２回目のベビー服の届けと同時に、第１回目の「服の回収」ステップＳ３０３を実行し、使用済みのベビー服を回収する。
更に３ヶ月経過後、第３回目の「ぴったりサイズお届け」ステップＳ３０４を実行して、顧客に３回目のベビー服を届ける。この３回目のベビー服の届けと同時に、第２回目の「服の回収」ステップＳ３０５を実行し、使用済みの２回目のベビー服を回収する。
【００５９】
更に３ヶ月経過後、第４回目の「ぴったりサイズお届け」ステップＳ３０６を実行して、顧客に４回目のベビー服を届ける。この４回目のベビー服の届けと同時に、第３回目の「服の回収」ステップＳ３０７を実行し、使用済みの３回目のベビー服を回収する。
更に３ヶ月経過後、使用期間の満了日に、第４回目の「服の回収」ステップＳ３０８を実行し、使用済みの４回目のベビー服を回収し、１年間の使用期間のサービスが終了する。
【００６０】
また、本実施形態におけるＨＤＤ５０ｔには、ベビー服の使用権サービスを実行する際に利用されるテーブル群が、格納されている。その各種テーブルには、例えば、顧客テーブル，ベビー服テーブル，赤ちゃん情報テーブル，地域テーブル，商品テーブル及び使用権譲渡テーブルなどが、含まれる。
また、顧客テーブルは、各顧客に関する情報を記録しておくためのテーブルであり、例えば、図１４に示すような、入会手続画面Ｇ１ｉを使用して情報を入力することができる。顧客に関する情報がこのテーブルに記録されると、その顧客は会員として登録される。この顧客マスターテーブルは、例えば、「会員番号」，「氏名」，「住所」，「居住地域」及び「連絡先」の各項目欄からなる記録を顧客毎に格納することで構成される。
特に、本実施形態においては、「居住地域」の項目が赤ちゃんの居住地域であることが重要である。すなわち、ベビー服使用権は、必ずしも申込者が使用するものとは限らず、譲渡できるものであり、例えば、第三者が、プレゼント用に購入する場合には、購入者の居住地域は、サービス内容とは、直接関係がなく、プレゼントを受ける側の赤ちゃんの居住地域の情報がベビー服選定に必要な情報となる。
【００６１】
顧客については、基本的には、例えば「会員番号」を設定して記録する。そして、顧客テーブルは、例えば、「氏名」，「住所」，「電話番号」，「Ｅメールアドレス」、「居住地域」には、顧客の住所が属する地域の地域名が、格納される。地域名が示す地域は、都道府県や市区町村のように行政的に区分された領域であっても良いし、地理的条件から同じ気候に属するとして独自に区分した領域（例えば、道東，道南，北東北，南東北，北関東，など）がよい。
【００６２】
ベビーテーブルは、例えば、図１１に示すような、赤ちゃん基本情報入力画面Ｇ１ａを介して、１.月齢、２.体重、３.身長、４.性別といった情報を記録しておく。赤ちゃん固有の情報がこのテーブルに記録されると、その赤ちゃんがベビー服のサービス対象として登録される。
【００６３】
本実施形態においては、「会員番号」欄には、赤ちゃんを登録した顧客の会員番号が、格納される。しかし、赤ちゃんを登録した会員が、ベビー服のサービスを受けるとは限らないために、サービス受給者の登録も行う。
【００６４】
また、本実施形態においては、地域テーブルは、赤ちゃんが居住する地域の月ごとの気候を定義したテーブルとして構成することができる。すなわち、各地域の特有な気候情報が記録されており、各地域での各月の着用されるべき衣類の種別を示すことができる。
【００６５】
本実施形態における商品テーブルは、顧客に使用権を設定する商品（ベビー服）情報を記録しておくためのテーブルである。したがって、「商品ＩＤ」，「性別」，「サイズ」，「時期」，「商品画像」，「価格」，「販売価格」，「個数」を含む。
【００６６】
本実施形態における使用権設定テーブルは、顧客に使用権を設定する商品に関する情報を記録しておくためのテーブルである。この使用権設定テーブルは、例えば、「会員番号」，「子供番号」，「商品ＩＤ」，「使用権開始日」，「使用権終了日」及び「使用権期間」が含まれている。
【００６７】
また、本発明のベビー服中古販売処理システム２００について、図１６を参照して説明する。
ベビー服中古販売処理システム２００は、ベビー服使用権設定処理方法によって既に使用権が設定され、使用された後に回収された回収ベビー服を求める新たなユーザーの顧客端末１１と、顧客端末１１と通信回線８０を介して接続され、回収ベビー服の販売業者のホストコンピュータ５０とからなる。
そして、ホストコンピュータ５０は、回収ベビー服を、複数言語で表示したポータルサイト上で販売するためのベビー服中古販売ＨＰ１１Ｇを備えており、このベビー服中古販売ＨＰ１１Ｇが、顧客端末１１の表示手段１ｂに表示される。
このベビー服中古販売ＨＰ１１Ｇを備えるベビー服中古販売処理システム２００によれば、日本ブランドを利用した新たな中古販売を、世界的に展開することができる。
【００６８】
本発明においては、前掲の実施形態に何ら制限されるものではなく、入力画面や操作画面、赤ちゃんお世話ガイド等は種々変更できるものである。
【符号の説明】
【００６９】
１      顧客端末
５０    ホストコンピュータ
８０    通信回線
１００  ベビー服使用権設定処理システム
２００  ベビー服中古販売処理システム
【図１】
2014021706.tif 000003
【図２】
2014021706.tif 000004
【図３】
2014021706.tif 000005
【図４】
2014021706.tif 000006
【図５】
2014021706.tif 000007
【図６】
2014021706.tif 000008
【図７】
2014021706.tif 000009
【図８】
2014021706.tif 000010
【図９】
2014021706.tif 000011
【図１０】
2014021706.tif 000012
【図１１】
2014021706.tif 000013
【図１２】
2014021706.tif 000014
【図１３】
2014021706.tif 000015
【図１４】
2014021706.tif 000016
【図１５】
2014021706.tif 000017
【図１６】
2014021706.tif 000018